(57)【要約】      （修正有）【課題】互いに向かい合う平行な２面の被係合面を有する細長い板体からなるメス型係合体と、被係合面の間に挿入される細長い板体又はシート体からなり、被係合面に向かい合う２面が係合面となるオス型係合体からなる対象係合具の係合をオス型係合体が曲がったり、撚れたりすることなくスムーズに行えるような開閉器を提供する。【解決手段】開閉器として、オス型係合体Ｂ２を挟むように配される２枚の板体からなる中央部と、オス型係合体Ｂ２のメス型係合体Ｂ１から離れた側の縁部をメス側係合体方向に押すように当該縁部近傍に当接する、中央部に固定されるオス型係合体押圧部と、メス型係合体Ｂ１のオス型係合体Ｂ２から離れた側の縁部をオス側係合体方向に押すように当該縁部近傍に当接するメス型係合体押圧部と、オス型係合体押圧部とメス型係合体押圧部と間の最も近い間隔を、オス型係合体とメス型係合体が係合する間隔に保持固定する連結部とを設ける。【選択図】図２
0003203712.tif 000002
【実用新案登録請求の範囲】
【請求項１】
互いに向かい合う平行な２面の被係合面を有する細長い板体からなるメス型係合体と、前記被係合面の間に挿入される細長い板体又はシート体からなり、前記被係合面に向かい合う２面が係合面となるオス型係合体からなる係合具の開閉を補助する開閉器であって、
前記オス型係合体を挟むように配される２枚の板体からなる中央部と、
前記オス型係合体の前記メス型係合体から離れた側の縁部を前記メス側係合体方向に押すように当該縁部近傍に当接する、前記中央部に固定されるオス型係合体押圧部と、
前記メス型係合体の前記オス型係合体から離れた側の縁部を前記オス側係合体方向に押すように当該縁部近傍に当接するメス型係合体押圧部と、
前記オス型係合体押圧部と前記メス型係合体押圧部と間の最も近い間隔を、前記オス型係合体と前記メス型係合体が係合する間隔に保持固定する連結部と
を有する開閉器。
【請求項２】
前記メス型係合体は細長い板体又はシート体からなるものであって、
前記連結部は前記メス型係合体を構成するそれぞれの板体又はシート体の外面側に配置されるとともに、前記中央部とともに当該板体又はシート体を狭持するものである
請求項１に記載の開閉器。
【請求項３】
前記オス型係合体押圧部と前記メス型係合体押圧部との間隔は前記係合具の長手方向に沿った一方向に向かって徐々に広くなるように形成される請求項１又は２に記載の開閉器。
【考案の詳細な説明】
【技術分野】
【０００１】
本考案は、互いに向かい合う平行な２面の被係合面を有する細長い板体からなるメス型係合体と、前記被係合面の間に挿入される細長い板体又はシート体からなり、前記被係合面に向かい合う２面が係合面となるオス型係合体からなる係合具の開閉を補助する器具に関する。
【背景技術】
【０００２】
本願の発明者は下記特許文献１において、図５に示すような係合具Ａ（以下、この係合具を「対象係合具」という）を提案している。この対象係合具Ａはメス型係合体１００とオス型係合体２００とから形成される。メス型係合体１００は向かい合う細長い２枚の板体１０１、１０１を平行に配置し、板体１０１、１０１の内面に紐により形成されるリング体１０２が多数設けられる。オス型係合体２００は、メス型係合体１００の板体１０１、１０１が形成する隙間に嵌る細長い板体２０１の両表面に、挿入される縁部側から反対の縁部側に向かって板体から離れるように斜めに固定される線材２０２が多数設けられる。このような構成によって、メス型係合体１００の隙間にオス型係合体２００を挿入すると、オス型係合体２００の線材２０２が、メス型係合体１００のリング体１０２に引っ掛かり、メス型係合体１００とオス型係合体２００とが互いに係合することとなる。
ところで、このような構成を有する対象係合具Ａは、非常に長い場合、手で係合させていくとスムーズに係合できない場合が生じる。これに対して、下記特許文献２から７には押し込むことで係合する別の構造の長いファスナーにおいて、ファスナー両側を端部から押し込むことで係合させるスライド開閉器が開示されている。このような開閉器は、上記の対象係合具Ａをスムーズに係合させために適用できると考えられる。
【先行技術文献】
【特許文献】
【０００３】
【特許文献１】実用新案登録第3193846号公報
【特許文献２】特開2013-99425号公報
【特許文献３】特表2008-517676号公報
【特許文献４】実開昭51-95407号公報
【特許文献５】実開昭48-72008号公報
【特許文献６】実公昭48-36003号公報
【特許文献７】実公昭27-7433号公報
【考案の概要】
【考案が解決しようとする課題】
【０００４】
しかし、対象係合具Ａにおいては薄い板状のオス型係合体をメス型係合体の隙間に押し込む構造であるため、上記特許文献２から７に記載の開閉器のように単純に両側から押し付けると、オス型係合体が曲がったり、撚れたりする恐れが生じる。
本考案は、このような問題に鑑みて、互いに向かい合う平行な２面の被係合面を有する細長い板体からなるメス型係合体と、前記被係合面の間に挿入される細長い板体又はシート体からなり、前記被係合面に向かい合う２面が係合面となるオス型係合体からなる対象係合具の係合をオス型係合体が曲がったり、撚れたりすることなくスムーズに行えるような開閉器を提供することを課題とする。
【課題を解決するための手段】
【０００５】
上記課題を解決するために、本考案は、次のような構成を有する。
請求項１に記載の考案は、互いに向かい合う平行な２面の被係合面を有する細長い板体からなるメス型係合体と、前記被係合面の間に挿入される細長い板体又はシート体からなり、前記被係合面に向かい合う２面が係合面となるオス型係合体からなる係合具の開閉を補助する開閉器であって、前記オス型係合体を挟むように配される２枚の板体からなる中央部と、前記オス型係合体の前記メス型係合体から離れた側の縁部を前記メス側係合体方向に押すように当該縁部近傍に当接する、前記中央部に固定されるオス型係合体押圧部と、  前記メス型係合体の前記オス型係合体から離れた側の縁部を前記オス側係合体方向に押すように当該縁部近傍に当接するメス型係合体押圧部と、前記オス型係合体押圧部と前記メス型係合体押圧部と間の最も近い間隔を、前記オス型係合体と前記メス型係合体が係合する間隔に保持固定する連結部とを有する開閉器である。
請求項２に記載の考案は、前記開閉器において前記メス型係合体は細長い板体又はシート体からなるものであって、前記連結部は前記メス型係合体を構成するそれぞれの板体又はシート体の外面側に配置されるとともに、前記中央部とともに当該板体又はシート体を狭持するものである。
請求項３に記載の考案は、前記開閉器において、前記オス型係合体押圧部と前記メス型係合体押圧部との間隔は前記係合具の長手方向に沿った一方向に向かって徐々に広くなるように形成されるものである。
【考案の効果】
【０００６】
以上のような構成により、本考案は、次のような効果を奏する。
請求項１に記載の考案は、対象係合具のオス型係合体とメス型係合体の端部に嵌めて反対の端部側にスライドさせるとオス型係合体とメス型係合体とを係合させることができる。そして、中央部がオス型係合体を挟んだ状態でオス型係合体とメス型係合体とを互いに押し付けることで係合するので、オス型係合体が中央部によって保護され、オス型係合体が曲がったり、撚れたりすることを抑制することができる。
請求項２に記載の考案は、中央部と連結部でメス型係合体を狭持することで安定するので、メス型係合体をシート体により形成することが可能となる。
請求項３に記載の考案は、前記オス型係合体押圧部と前記メス型係合体押圧部との間隔は前記係合具の長手方向に沿った一方向に向かって徐々に広くなるようにすることで、対象係合具に嵌めて、開閉器を広くなる方向にスライドするとオス型係合体とメス型係合体は開閉器内で徐々に近づいて係合するので、係合動作をスムーズにすることができる。
【図面の簡単な説明】
【０００７】
【図１】実施形態に係る開閉器を備えた対象係合具の斜視図である。
【図２】（ａ）はスライダーの斜視図であり、（ｂ）はスライダーの縦断面図あり、（ｃ）はスライダーの平面図であり、（ｄ）はスライダーの底面図でである。
【図３】（ａ）は止め具の斜視図であり、（ｂ）は止め具の縦断面図である。
【図４】（ａ）〜（ｃ）は実施形態に係る開閉器を備えた対象係合具の動作を示す正面図である。
【図５】従来技術である対象係合具を示す斜視図である。
【考案を実施するための形態】
【０００８】
以下、本考案の実施の形態について、図面を参照しながら説明する。
図１に本実施形態に係る開閉器Ｘを備えた対象係合具Ｂの斜視図を示す。対象係合具Ｂは、メス型係合体Ｂ１とオス型係合体Ｂ２とから形成される。メス型係合体Ｂ１は、互いに平行に配置される細長い長方形状の２枚の側面板を含む、下面とオス型係合体Ｂ２に面した方向に細長い開口が形成された細長い箱体であり、軟質の素材により形成される。メス型係合体Ｂ１の両側面板の互いに向かい合う面にはある程度の硬さのある紐が円弧状になるように両端が表面に固定されるリング体が多数配置されている。オス型係合体Ｂ２はメス型係合体Ｂ１の隙間に嵌る細長い板体であり、軟質の素材により形成される。オス型係合体Ｂ２の板体の厚さはメス型係合体Ｂ１の向かい合う被係合面に設けられた互いに向かい合うリング体同士の間隔と同じかこれよりもやや狭い厚さを有し、メス型係合体Ｂ１から離れた側端縁にメス型係合体の厚さをほぼ同じ幅の軟質の素材からなる蓋板が固定されている。板体表面には多数の弾性体からなる線材が、先端が前面から背面に向かうように斜めに突出するように固定されている。このような構造により、メス型係合体Ｂ１にオス型係合体Ｂ２が挿入されると、メス型係合体の向かい合う面に設けられたリング体に、オス型係合体Ｂ２の両面に設けられた線材が引っ掛かり両者は係合固定されることとなる。対象係合具Ｂは、メス型係合体Ｂ１及びオス型係合体Ｂ２の互いに係合する側と反対側の端面に、布などのシートＳが固定されることで、例えば衣類の前開きの身頃を合わせる際に用いたりすることが想定される。また、メス型係合体Ｂ１の頂点部分には、側方に張り出す張り出し部が設けられる。そして、オス型係合体Ｂ２の下端は、線材が設けられておらず、硬質に形成される。下端を硬質にする方法としては、メス型係合体Ｂ２が繊維を織って形成された板体の場合は、下端部分にプラスチックを含浸させて硬化させる方法などが例示され、ゴムなどの素材の場合は、下端部を厚く形成しておき熱を加えて圧縮することで硬く形成する方法などが例示される。
【０００９】
開閉器Ｘは主としてスライダー１０から形成され、補助的に下部係止具２０が設けられる。図２（ａ）にスライダー１０の斜視図を示し、図２（ｂ）にスライダー１０の縦断面図を示し、図２（ｃ）にスライダー１０の平面図を示し、図２（ｄ）にスライダー１０の底面図を示す。スライダー１０は前後に薄い略直方体状のブロック体であり、前面に引き手を固定するためのリング１４が設けられている。そして、スライダー１０には、上下を貫く、前記対象係合具Ｂのメス型係合体Ｂ１が通る断面コの字状の貫通孔１１と、オス型係合体Ｂ２が通る断面Ｔ字状の貫通孔１２とが形成されている。また、スライダー１０の両側面にはメス型係合体Ｂ１及びオス型係合体Ｂ２に固定されるシートＳが通るための貫通孔１１、貫通孔１２に達する切れ目１３、１３が設けられる。図２（ｄ）に示すようにスライダー１０の下端位置では貫通孔１１と貫通孔１２とは、メス型係合体Ｂ１とオス型係合体Ｂ２が略係合した状態における位置に配置される。そして、図２（ｂ）に示すように、貫通孔１１は真っ直ぐに形成される一方で、貫通孔１２は上方に向かって貫通孔１１から離れるように広がっており、図２（ｃ）に示すようにスライダー１０の上面においては、貫通孔１１と貫通孔１２とは若干離れた位置に配置されることとなる。なお、貫通孔１２のオス型係合体Ｂ２の両面に面する各板状部分はオス型係合体を挟むように配される２枚の板体からなる中央部を形成する。また、貫通孔１１の切れ目１３が形成される面を有する部分がメス型係合体押圧部を形成し、貫通孔１２の切れ目１３が形成される面を有する部分がオス型係合体押圧部を形成する。さらに、スライダー１０の前面及び背面を構成する板体は、前記オス型係合体押圧部と前記メス型係合体押圧部と間の最も近い間隔を、前記オス型係合体と前記メス型係合体が係合する間隔に保持固定する連結部を構成する。
【００１０】
下部係止具２０は、スライダーが下端に抜けないようにするとともにメス型係合体Ｂ１とオス型係合体Ｂ２との下端の係合がはずれないように固定するものである。図３（ａ）に下部係止具２０の斜視図を示し、図３（ｂ）に下部係止具２０の平面図を示す。下部係止具２０は前後に薄い略直方体状のブロック体であり、上下に係合した対象係合具Ｂの下端側が嵌る穴である係合穴２１が形成されている。下部係止具２０の両側面にはメス型係合体Ｂ１及びオス型係合体Ｂ２に固定されるシートＳが通るための、穴２１に達する切れ目２２、２２が設けられる。下部係止具２０はメス型係合体Ｂ１にスライダー１０を通した後にメス型係合体Ｂ１の下端に嵌められ接着固定される。
【００１１】
次に、以上のような構成を有する本実施形態に係る開閉器Ｘを備えた対象係合具Ｂの使用方法について説明する。最初は、図４（ａ）に示すようにメス型係合体Ｂ１とオス型係合体Ｂ２とは完全に分離しているものとする。この状態において、まずスライダー１０を図４（ａ）に示すように下部係止具２０に当接するように下端位置まで下ろし、その後、オス型係合体Ｂ２の下端をスライダー１０の貫通孔１２に上から挿入して下部係止具２０の底面まで下ろす。これにより、図４（ｂ）に示すような状態となり、オス型係合体Ｂ２の下端はメス型係合体Ｂ１の下端と係合することとなる。この状態になったら、図４（ｃ）に示すようにスライダー１０を上方に移動させる。すると、スライダー１０内の貫通孔１２が上方から下方に向かって貫通孔１１に近づくように形成されていることから、スライダー１０内を通るメス型係合体Ｂ１とオス型係合体Ｂ２とは貫通孔１１及び貫通孔１２によって互いに近づく方向に徐々に押されて下端位置でほぼ完全に係合することとなる。このように下方から順次係合させることでスムーズに係合させることができる。最後に図４（ｄ）に示すようにスライダー１０が頂点に達したらメス型係合体Ｂ１とオス型係合体Ｂ２との係合は完了する。
以上説明したように、開閉器Ｘを用いることで、対象係合具Ｂをスムーズに係合状態とすることができる。この際、貫通孔１２がオス型係合体Ｂ２を挟んだ状態でオス型係合体Ｂ２はメス型係合体Ｂ１内に押されていくのでオス型係合体Ｂ２を軟質な素材にしても撚れたり、曲がったりすることなく適切に係合させていくことかできる。
【００１２】
なお、対象係合具はここではメス型係合体の内壁にリング体を、オス型係合体の両面に線材を設けたものを示したが、メス型係合体の内壁に線材を、オス型係合体の両面にリング体を設けたものを用いることもできる。さらにいうなら、２枚の細長い平行な２面を有するメス型係合体の間に細長い板体又はシート体からなるオス型係合体を挿入することで係合する構造を有するものであれば、両者を離れないようにする係合構造は任意の手段を採用することができる。
また、上記実施形態ではスライダーにおいて貫通孔１２のみが上方に向かって広がるように形成しているが、貫通孔１１も上方向かって広がるように形成してもよく、貫通孔１２を真っ直ぐにして貫通孔１１のみを上方に向かって広がるように形成してもよい。
【符号の説明】
【００１３】
Ａ、Ｂ  対象係合具
Ｂ１  メス型係合体
Ｂ２  オス型係合体
Ｘ  開閉器
１０  スライダー
１１  貫通孔
１２  貫通孔
２０  下部係止具
２１  係合穴
【図１】
0003203712.tif 000003
【図２】
0003203712.tif 000004
【図３】
0003203712.tif 000005
【図４】
0003203712.tif 000006
【図５】
0003203712.tif 000007